(57)【特許請求の範囲】
【請求項１】
屋根葺き板における一縁部を下側内方に折り返して外方に突出する断面略Ｕ字状の外方突出部を形成し、該外方突出部の内縁を下側外方に折り返して内方に突出する第一内方突縁部を形成し、該第一内方突縁部の外縁を下方に折り曲げて第一立上がり部を形成し、該第一立上り部の下縁を内方に折り曲げると共に下側外方に折り返して第二内方突縁部を形成し、
該屋根葺き板における他縁部を上側内方に折り返して第一受け部を形成し、該第一受け部の内縁を上方に折り曲げて第二立上り部を形成し、該第二立上り部の上縁を外方に折り曲げると共に上側内方に折り返して第二受け部を形成し、該第二受け部の内縁を上側外方に折り返して第三受け部を形成し、
一つの屋根葺き板における外方突出部と第一内方突縁部と第二内方突縁部とが別の屋根葺き板における第三受け部と第二受け部と第一受け部とにそれぞれ圧接状態で挿嵌されるようにすることにより、屋根葺き板と屋根葺き板とが３箇所で強力に結合され、以て、屋根葺き板間の結合が強風にも十分に耐えると共に、屋根葺き板を勾配の小さな屋根に取り付けたときでも水漏れが生じないようにし、
更に、前記外方突出部を断面略Ｕ字状になすと共に該外方突出部を前記第一立上がり部よりも外方に突出させることにより、降雨時には、水が該外方突出部より内方に回り込むことがなく、水が該外方突出部の外縁より下方に落下するようになし、降雪時には、雪が該外方突出部より内方に回り込むことがなく、雪が該外方突出部の外縁より下方に落下し、雪と屋根葺き板との間に空間が生ずるようになし、以て、水漏れが生ずるおそれがないようにしたことを特徴とする屋根葺き板。
【発明の詳細な説明】
【技術分野】
【０００１】
本発明は、屋根葺き板に関するものであり、特に降水時、積雪時等における水漏れを防止すると共に屋根が強風に晒されたときでも屋根葺き板の継合が外れないようにした屋根葺き板に係るものである。
【背景技術】
【０００２】
本発明者は、特開２００７−２３９３１４号公報において屋根葺き板（以下「従来の屋根葺き板」という。）を提案している。
【０００３】
従来の屋根葺き板においては、図４、図５に示すように、屋根葺き板１における一縁部を下方に折り曲げて第一立上り部３を形成し、該第一立上り部３の下縁を内方に折り曲げると共に下側外方に折り返して突縁部５を形成し、該突縁部５の外縁を下方に折り曲げて第二立上り部７を形成し、該第二立上り部７の下縁を下側内方に湾曲させて第一湾曲部９を形成し、該第一湾曲部９の内縁を内方に折り曲げて内向き縁１１を形成し、
該屋根葺き板１における他縁部を上側内方に折り返して第一受け部１３を形成し、該第一受け部１３の内縁を下側内方に湾曲させて第二湾曲部１５を形成し、該第二湾曲部１５の内縁を上方に折り曲げて第三立上り部１７を形成し、該第三立上り部１７の上縁を外方に折り曲げると共に上側内方に折り返して第二受け部１９を形成し、該第二受け部１９の内縁を上方に折り曲げて第四立上り部２１を形成し、
一つの屋根葺き板１における第一湾曲部９と内向き縁１１とが別の屋根葺き板１’における第二湾曲部１５と第一受け部１３とに圧接状態で嵌合され、当該一つの屋根葺き板１における突縁部５が当該別の屋根葺き板１’における第二受け部１９に圧接状態で挿嵌されるようにしている。
【０００４】
また、前記第四立上り部２１と第二受け部１９とを屋根葺き板１、１’とは別体の固定具２３を介して屋根葺き板支持体２５に固定している。符号２７に示すものは、固定具２３を屋根葺き板支持体２５に固着するためのネジ等の固着具である。
【０００５】
固定具２３は、基部２９の一縁を立ち上げると共に折曲して第二受け部押え部３１を形成し、該第二受け部押え部３１の一縁を上方に折り曲げると共に下方に折り返して第四立上り部押え部３３を形成してなるものである。
【０００６】
固定具２３は、第四立上り部押え部３３により第四立上り部２１を押さえさせ、第二受け部押え部３１により第二受け部１９を押さえさせた状態で、基部２９を固着具２７により屋根葺き板支持体２５に固着する。
【特許文献１】特開２００７−２３９３１４号公報
【０００７】
なお、本発明において、「内」とは屋根葺き板の中央部に向かう方向をいい、「外」とは「内」と反対の方向をいうものとする。
【発明の開示】
【発明が解決しようとする課題】
【０００８】
しかるに、上記従来の屋根葺き板においては、第一湾曲部９と内向き縁１１とが第二湾曲部１５と第一受け部１３とに嵌合され、突縁部５が第二受け部１９に挿嵌されるのであるが、一つの屋根葺き板１と別の屋根葺き板１’とはいわば二つのはぜ組みにて連結されているに過ぎないため、当該屋根葺き板間の結合は必ずしも強力ではなく、強風を受けたときにその結合が外れるおそれがある。
【０００９】
また、上記従来の屋根葺き板においては、第一立上り部３は第二立上り部７よりも外方に突出しているものの、第一立上り部３は平板状であって図５に示す高さｈが大きいため、降雨時における水の切れが悪く、水が図５の矢印ａに示すように第一立上り部３の下縁より内方（図５における右方）に回り込む傾向がある。したがって、水漏れの問題を生ずるおそれがある。
【００１０】
本発明は、上記従来の屋根葺き板における上述の如き問題を解決し、屋根葺き板間の結合が強力であって強風に耐え、しかも水漏れの問題を生ずるおそれのない屋根葺き板を提供しようとしてなされたものである。
【課題を解決するための手段】
【００１１】
上記課題を解決するために、本発明は、下記の屋根葺き板を提供する。
【００１２】
屋根葺き板における一縁部を下側内方に折り返して外方に突出する断面略Ｕ字状の外方突出部を形成し、該外方突出部の内縁を下側外方に折り返して内方に突出する第一内方突縁部を形成し、該第一内方突縁部の外縁を下方に折り曲げて第一立上がり部を形成し、該第一立上り部の下縁を内方に折り曲げると共に下側外方に折り返して第二内方突縁部を形成し、
該屋根葺き板における他縁部を上側内方に折り返して第一受け部を形成し、該第一受け部の内縁を上方に折り曲げて第二立上り部を形成し、該第二立上り部の上縁を外方に折り曲げると共に上側内方に折り返して第二受け部を形成し、該第二受け部の内縁を上側外方に折り返して第三受け部を形成し、
一つの屋根葺き板における外方突出部と第一内方突縁部と第二内方突縁部とが別の屋根葺き板における第三受け部と第二受け部と第一受け部とにそれぞれ圧接状態で挿嵌されるようにすることにより、屋根葺き板と屋根葺き板とが３箇所で強力に結合され、以て、屋根葺き板間の結合が強風にも十分に耐えると共に、屋根葺き板を勾配の小さな屋根に取り付けたときでも水漏れが生じないようにし、
更に、前記外方突出部を断面略Ｕ字状になすと共に該外方突出部を前記第一立上がり部よりも外方に突出させることにより、降雨時には、水が該外方突出部より内方に回り込むことがなく、水が該外方突出部の外縁より下方に落下するようになし、降雪時には、雪が該外方突出部より内方に回り込むことがなく、雪が該外方突出部の外縁より下方に落下し、雪と屋根葺き板との間に空間が生ずるようになし、以て、水漏れが生ずるおそれがないようにしたことを特徴とする屋根葺き板。
【発明の効果】
【００１３】
本発明によれば、一つの屋根葺き板における外方突出部と第一内方突縁部と第二内方突縁部とが別の屋根葺き板における第三受け部と第二受け部と第一受け部とにそれぞれ圧接状態で挿嵌されるようにしたため、屋根葺き板と屋根葺き板とが３箇所で強力に結合される。したがって、屋根葺き板間の結合が強力であって強風にも十分に耐え、屋根葺き板を勾配の小さな屋根に取り付けたときでも水漏れの問題を生ずるおそれもない。
【００１４】
また、外方に突出する外方突出部は断面略Ｕ字状をなすため、降雨時に水が該外方突出部より内方（図２における右方）に回り込むことがなく、水は外方突出部の外縁より下方に落下する（図２の矢印参照。）。したがって、水漏れが生ずるおそれはない。
【００１５】
外方に突出する外方突出部は断面略Ｕ字状をなすため、降雪時についても、雪が該外方突出部より内方（図３における右方）に回り込むことがなく、雪は外方突出部の外縁より下方に落下し、雪と屋根葺き板との間に空間が生ずる（図３参照）。したがって、水漏れが生ずるおそれはない。
【００１６】
加えて、屋根葺き板における外方突出部は、断面略Ｕ字状をなすため、屋根に好ましい外観を与える。
【発明を実施するための最良の形態】
【００１７】
符号４１、４１’に示すものは屋根葺き板である。
【００１８】
屋根葺き板４１、４１’は、例えば、厚さ０．４〜０．６ｍｍの鉄、ステンレス鋼等により形成される。
【００１９】
屋根葺き板４１における一縁部を下側内方に折り返して外方に突出する断面略Ｕ字状の外方突出部４３を形成し、該外方突出部４３の内縁を下側外方に折り返して内方に突出する第一内方突縁部４５を形成し、該第一内方突縁部４５の外縁を下方に折り曲げて第一立上がり部４７を形成し、該第一立上り部４７の下縁を内方に折り曲げると共に下側外方に折り返して第二内方突縁部４９を形成する。
【００２０】
該屋根葺き板４１における他縁部を上側内方に折り返して第一受け部５１を形成し、該第一受け部５１の内縁を上方に折り曲げて第二立上り部５３を形成し、該第二立上り部５３の上縁を外方に折り曲げると共に上側内方に折り返して第二受け部５５を形成し、該第二受け部５５の内縁を上側外方に折り返して第三受け部５７を形成する。
【００２１】
一つの屋根葺き板４１における外方突出部４３と第一内方突縁部４５と第二内方突縁部４９とが別の屋根葺き板４１’における第三受け部５７と第二受け部５５と第一受け部５１とにそれぞれ圧接状態で挿嵌されるようになす。
【００２２】
屋根葺き板４１、４１’には吊り子（固定具）（図示せず）を使用してもよい。
【００２３】
なお、図３は降雪時の状況を示す。降雪時には、雪６１は外方突出部４３より内方に回り込むことがなく、雪６１は外方突出部４３の外縁より下方に落下し、雪６１と屋根葺き板４１、４１’との間に空間６３が生ずる。
【図面の簡単な説明】
【００２４】
【図１】本発明による屋根葺き板の一例を示す斜視図である。
【図２】一つの屋根葺き板を別の屋根葺き板と継合した状態を示す側面図である。
【図３】降雪時における雪の状態を示す同上側面図である。
【図４】従来の屋根葺き板を示す斜視図である。
【図５】同上屋根葺き板の結合状態を示す側面図である。
【符号の説明】
【００２５】
１  屋根葺き板
１’  屋根葺き板
３  第一立上り部
５  突縁部
７  第二立上り部
９  第一湾曲部
１１  内向き縁
１３  第一受け部
１５  第二湾曲部
１７  第三立上り部
１９  第二受け部
２１  第四立上り部
２３  固定具
２５  屋根葺き板支持体
２７  固着具
２９  基部
３１  第二受け部押え部
３３  第四立上り部押え部
４１  屋根葺き板
４１’屋根葺き板
４３  外方突出部
４５  第一内方突縁部
４７  第一立上がり部
４９  第二内方突縁部
５１  第一受け部
５３  第二立上り部
５５  第二受け部
５７  第三受け部
６１  雪
６３  空間
【図１】
0004703685.tif 000002
【図２】
0004703685.tif 000003
【図３】
0004703685.tif 000004
【図４】
0004703685.tif 000005
【図５】
0004703685.tif 000006